【事件の表示】
　特願２０１４−　５９４３６「管理装置、携帯端末及びプッシュ通知方法」拒絶査定不服審判事件〔平成２７年１０月２２日出願公開、特開２０１５−１８４８４６、請求項の数（４）〕について、次のとおり審決する。
【結　論】
　原査定を取り消す。
　本願の発明は、特許すべきものとする。
【理　由】
第１ 手続の経緯
　本願は、平成２６年３月２４日の出願であって、平成２９年４月２１日付けで手続補正がされ、平成３０年５月１０日付けで拒絶理由通知がされ、平成３０年７月３日付けで手続補正がされ、平成３０年１１月５日付けで拒絶理由通知がされ、平成３１年１月９日付けで手続補正がされ、令和１年６月２５日付けで拒絶査定（原査定）がされ、これに対し、令和１年９月２６日に拒絶査定不服審判の請求がされると同時に手続補正がされたものである。
第２ 原査定の概要
　原査定（令和１年６月２５日付け拒絶査定）の概要は次のとおりである。
１．本願請求項１−４に係る発明は、以下の引用文献１−３に基づいて、その発明の属する技術の分野における通常の知識を有する者（以下、「当業者」という。）が容易に発明できたものであるから、特許法第２９条第２項の規定により特許を受けることができない。
引用文献等一覧
　１.特開２００８−１９１７１４号公報
　２.特開２００２−３６８９６６号公報
　３.特開平１０−１０７９４４号公報
第３　審判請求時の補正について
　審判請求時の補正によって、本願請求項１、４について「前記撮影装置が１プレイ中に取得した前記第１及び第２ユーザーのアドレス情報と、」と補正する点は、願書に最初に添付した明細書の【００８０】に記載されているから、当該補正は新規事項を追加するものではなく、限定的減縮を目的とするものである。
　よって、審判請求時の補正は、特許法第１７条の２第３項から第６項までの要件に違反しているものはいえない。
第４ 本願発明
　本願請求項１−４に係る発明（以下、それぞれ「本願発明１」−「本願発明４」という。）は、令和１年９月２６日付けの手続補正で補正された特許請求の範囲の請求項１−４に記載された事項により特定される発明であり、以下のとおりの発明である。
「　　【請求項１】
　撮影装置及び第１及び第２ユーザーの携帯端末と通信する管理装置であって、
　前記撮影装置により作成された１プレイ分の画像データと、前記撮影装置が１プレイ中に取得した前記第１及び第２ユーザーのアドレス情報と、を含むプレイ情報を受信する通信部と、
　前記画像データと前記アドレス情報とを関連づけて記憶する記憶部と、
　前記第１又は第２ユーザーから前記画像データの取得を試みるアクセスが所定期間内にあったか否かを判定する判定部と、
　前記アクセスが所定期間内に行われていないと判定された場合に、前記画像データに関連づけられた前記第１又は第２ユーザーのアドレス情報に基づいて、当該画像データのダウンロードを促すための所定の通知を実行する通知部と、を備える管理装置。
　　【請求項２】
　前記アドレス情報に基づいて前記ユーザーの会員種別を特定する制御部を更に備え、
　前記通知部は、特定された会員種別に応じて異なる種類の前記通知を実行する請求項１に記載の管理装置。
　　【請求項３】
　前記通知部は、特定された会員種別が低額会員である場合に、高額会員へのステップアップを促す表示を前記通知に含める請求項２に記載の管理装置。
　　【請求項４】
　撮影装置と、第１及び第２ユーザーの携帯端末と、前記撮影装置により作成された画像データの管理装置とを備える、情報処理システムにおけるプッシュ通知方法であって、
　前記管理装置が、前記撮影装置により作成された１プレイ分の画像データと、前記撮影装置が１プレイ中に取得した前記第１及び第２ユーザーのアドレス情報と、を含むプレイ情報を受信する第１のステップと、
　前記管理装置が、前記画像データと前記アドレス情報とを関連づけて記憶する第２のステップと、
　前記管理装置が、前記第１又は第２ユーザーから前記画像データの取得を試みるアクセスが所定期間内に行われていないか否かを判定する第３のステップと、
　前記第３のステップの判定結果が肯定的である場合に、前記管理装置が、前記画像データに関連づけられた前記第１又は第２ユーザーのアドレス情報に基づいて、前記画像データのダウンロードを促すための所定の通知を実行する第４のステップと、を含むプッシュ通知方法。」
第５ 引用文献、引用発明等
　１．引用文献１について
　原査定の拒絶の理由に引用された上記引用文献１には、図面とともに次の事項が記載されている（下線は当審にて付した。後述する引用文献についても同様。）。
　ア「【０００１】
　本発明は、撮影画像をユーザ端末から参照できるように画像保存サーバに転送して保存する画像転送システム、写真撮影プリント装置、画像保存サーバ、画像転送方法、画像転送プログラム、および記憶媒体に関するものである。【背景技術】
【０００２】
　ゲームセンターやアミューズメントパークなどの娯楽施設に設置されている写真シール機において、ユーザは自分の姿を撮影し、その撮影画像に落書を施して、編集画像を作成する。そして、シール紙にそれら編集画像を印刷し、入手して遊ぶ。最近は、通信技術の発達によって、編集画像（以降、画像データとする）を携帯端末（携帯電話等）に送信することもできる。ユーザは、それら画像を携帯端末の待受画面に設定するなどして、活用している。
【０００３】
　上記の写真シール機では具体的に、（１）サーバが、写真シール機から、画像データを受信する、（２）ＷｅｂサーバのＵＲＬなどの画像データを保存するサーバ上の場所のアクセス情報を、サーバがユーザに通知する、（３）ユーザのアクセスを受け、サーバが画像データをダウンロードさせる、といった流れで実現されている（例えば、特許文献１参照）。
【０００４】
　また、写真シール機と連動する会員専用サイトを準備し、会員登録を条件として、ユーザに、画像データをダウンロードさせるシステムも存在する（例えば、特許文献２参照）。
【０００５】
　現在は、上記二種類の転送方法を併せ持つシステムが、主流になっている。具体的には、サイトの会員でなければ、写真シール機で作成した一部の画像データ（以下、非会員画像とする）のみダウンロードでき、会員であればその他の画像データ（以下、会員画像とする）を含めた、全ての画像をダウンロードできるというようなシステムで実現されている。
特開２００１−３０９１０８号公報（２００１年１１月２日公開） 特開２００１−３１３９１３号公報（２００１年１１月９日公開）
【発明の開示】
【発明が解決しようとする課題】
【０００６】
　ところで、上記の画像転送システムにおいて、従来は、画像がサーバに保存され、画像を参照するためのアクセス情報が確定するまで、ユーザ端末に対して何の通知も届かなかった。さらに、画像のサイズや数が増加すると、サーバに画像が転送されて保存されるまでに時間が掛かり、その間、ユーザは正確にメールアドレスが入力されているか、といった不安を抱えた状態で待ちつづけなければならなかった。さらに、メールアドレスの入力が誤っていた場合、何の情報も届かないまま、長時間待たされるという問題が存在する。
【０００７】
　本発明は、上記の問題点に鑑みてなされたものであり、その目的は、ユーザに対して適切なタイミングで適切なデータを送信することが可能な画像転送システムを実現することにある。」
　イ「【００３８】
　（システムの全体構成） 初めに本発明に係る画像転送システムの概略構成について説明する。
図２は、本実施形態の画像転送システムの構成を示すブロック図である。画像転送システムは、図２に示すように、写真シール機（写真撮影プリント装置）１、サーバ（画像保存サーバ）１００、ユーザ端末２００を含んでいる。
【００３９】
　
サーバ１００には、さらに画像ＤＢサーバ（画像保存手段）１１０、ＷＥＢサーバ１２０、付加情報ファイルサーバ１３０、登録等処理サーバ１４０、ＦＴＰサーバ１５０、およびメールサーバ１６０を備えている。画像ＤＢサーバ１１０は、さらに会員画像ファイルサーバ１１２、非会員画像ファイルサーバ１１４、およびサムネイル画像ファイルサーバ１１６を備えている。
【００４０】
　
写真シール機１は、ユーザを写真撮影する機能（撮影機能）、その撮影画像に対して画像編集、いわゆる「落書き」等の装飾をユーザに行わせ、撮影画像に装飾画像を合成し合成画像を作成する処理を行う機能（編集機能）、できた合成画像をシール紙などのプリント紙にプリントする機能（プリント機能）を有する装置である。
さらに、写真シール機１は、サーバ１００を介して上記合成画像をユーザ端末（通信端末）２００に送信する機能を備えている。ここでは、ユーザからの入力を受け付けたメールアドレスと、合成画像情報を、サーバ１００に送信し、管理サーバシステムが、合成画像を指定のメールアドレスのユーザ端末２００に送信する。
【００４１】
　
なお、写真シール機１は、ユーザから料金を徴収することによって、上記のような機能をユーザに提供するようになっている。また、各機能に対して制限時間が設けられており、ユーザはこの制限時間内で各機能を利用することになる。
【００４２】
　
サーバ１００は、各写真シール機１から撮影画像に対して編集処理が行われた画像に関する合成画像情報、および、ユーザから入力されたメールアドレスの情報などを含む付加情報を受信する。
【００４３】
　
サーバ１００と各写真シール機１との間は、通信媒体によって通信接続されている。
【００４４】
　
ユーザ端末２００は、例えば携帯電話網やＰＨＳ（登録商標：Personal Handyphone System）電話網などの無線電話網による電話機能を有するとともに、該無線電話網を用いたデータ通信機能（メール通信機能を含む）および情報処理機能を有する情報処理端末である。なお、本発明に適用される情報処理端末は、携帯電話機に限定されるものではなく、有線無線を問わずサーバ１００とデータ通信が可能であり、かつ情報処理を行うことが可能な情報処理端末であれば、どのような装置であってもよい。
【００４５】
　また、本実施形態では、ユーザ端末２００のメールアドレスをユーザにより入力させるものとするが、例えば、写真シール機１がユーザ端末２００から直接読み取り可能に設けられていても構わない。この場合には、写真シール機１とユーザ端末２００が近距離無線通信を行うものとする。これらの装置には、ＩＥＥＥ（Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ）８０２．１１ａ，１１ｂ，１１ｇなどに準拠した無線ＬＡＮ（Ｌｏｃａｌ Ａｒｅａ Ｎｅｔｗｏｒｋ）モジュールやＢｌｕｅｔｏｏｔｈ（登録商標）モジュール、あるいは、赤外線を介しての通信を行うモジュールなどよりなる近距離通信部を有しており、互いに近距離無線通信を行うことが可能とされている。しかし、これに限定されず、写真シール機１とユーザ端末２００とは、例えばＵＳＢケーブル等の有線で接続される構成であってもかまわない。あるいは、近距離無線通信を行わず、例えば公衆電話回線、携帯電話回線、ＰＨＳ回線、インターネットなどで構成された広域ネットワークを介して接続するようになっていてもよい。」
　ウ「【００４６】
　（合成画像通信システムの利用形態） 画像転送システムの利用形態について概略的に説明する。ユーザは、例えば娯楽施設などに設置されている写真シール機１を用いてゲームを行う。
このゲームにおいて、ユーザは、写真撮影を行い、写真シール機１上で撮影画像に対する編集処理として、いわゆる落書きといった、撮影画像に装飾画像を書き込む処理を行う。
【００４７】
　そして、
撮影画像に装飾画像や、落書きなどを合成した合成画像を、写真シール機１がプリントして出力することで、ユーザは、そのプリント物をゲームの成果として得ることができる。また、画像転送システムでは、ユーザはユーザ端末２００に合成画像を送信することができる。この場合、ユーザがユーザ端末２００のメールアドレスを写真シール機１に入力することで、写真シール機１は、合成画像情報、および、付加情報をサーバ１００に送信する。ここでは、合成画像の所有者としての自己の識別情報として、また、サーバからの情報を受信するために、自己の携帯電話機のメールアドレスを登録するものとする。以上により、写真シール機１でのユーザのゲームは終了する。
【００４８】
　
サーバ１００は、写真シール機１から送られてくる合成画像情報、および、付加情報を互いに対応付けて記憶する。そして、サーバ１００は、ユーザのメールアドレスに対して、合成画像を取得することができるページのアドレス情報を示したメールを送信する。
【００４９】
　また、写真シール機１は、合成画像情報、および、付加情報をサーバ１００に送信する際、これらの対応付けを可能とする対応付け情報を送信データに含めることが好ましい。対応付け情報は、各情報のデータに含められて送信されてもよいし、各情報のデータとは別に送信されてもよい。」
　エ「【００５０】
　（管理サーバシステムの構成） 次に、サーバ１００の構成について、図２を参照しながらさらに詳細に説明する。同図に示すように、
サーバ１００は、画像ＤＢサーバ１１０、ＷＥＢサーバ１２０、付加情報ファイルサーバ１３０、登録等処理サーバ１４０、ＦＴＰサーバ１５０、およびメールサーバ１６０を備えた構成となっている。
【００５１】
　画像ＤＢサーバ１１０および付加情報ファイルサーバ１３０は、それぞれ登録等処理サーバ１４０から受信した情報に基づいてデータベースを構築し、該データベースを記録・保管するファイルサーバである。なお、画像ＤＢサーバ１１０および付加情報ファイルサーバ１３０は、このようにファイルサーバの形式で実現してもよいし、画像ファイル記録装置および付加情報記録装置として、登録等処理サーバ１４０が利用する記録媒体によって構成されてもよい。
【００５２】
　また、画像ＤＢサーバ１１０では、例えば、各ユーザに対応するフォルダ内に、該ユーザに対応する合成画像情報を記録したデータベースが記録されることになる。なお、画像ＤＢサーバ１１０は、受信した合成画像情報で示される合成画像の画像サイズを縮小したサムネイル画像を生成し、このサムネイル画像を同じフォルダ内に格納するようにしてもよい。
【００５３】
　ＷＥＢサーバ１２０は、ユーザ端末２００からのアクセスに対して、ＷＥＢページの形式で、画像ＤＢサーバ１１０に記録されている合成画像情報を提供するサーバ装置である。また、ＷＥＢサーバ１２０は、付加情報や画像特定情報を、付加情報ファイルサーバ１３０から読み込み、引き出す処理を行う。このＷＥＢサーバ１２０における処理の詳細については後述する。
【００５４】
　付加情報ファイルサーバ１３０は、ユーザ識別情報であるメールアドレスを保存する。なお、メールアドレスと画像データは、ＩＤなどを用いて対応付けるものとする。
【００５５】
　登録等処理サーバ１４０は、ＦＴＰサーバ１５０から受信した合成画像情報を画像ＤＢサーバ１１０に送信するとともに、付加情報を付加情報ファイルサーバ１３０に送信する処理を行う。ここで、登録等処理サーバ１４０は、付加情報を付加情報ファイルサーバ１３０に送信する際に、該付加情報に対応する合成画像情報を特定する画像特定情報も送信する。これにより、付加情報ファイルサーバ１３０には、ユーザ識別情報と、それに対応する合成画像情報を特定する画像特定情報との組合せの情報がデータベースとして記録されることになる。
【００５６】〜【００５８】（省略）
【００５９】
　
メールサーバ１６０は、登録等処理サーバ１４０から受信したアクセス情報などをユーザ端末２００に送信する電子メールを送信する処理を行う。
　オ「【００６９】
　（写真撮影プリント装置の機能的構成） 次に、上記写真シール機１の機能的な構成について、図４に示すブロック図を参照しながら説明する。本発明の写真シール機１は、図４に示すとおり、撮影部２、編集部３、印刷部４、制御部１０、および、記録部５０を備えた構成となっている。
【００７０】〜【００７１】（省略）
【００７２】
　撮影部２は、撮影工程を実行するものであり、硬貨処理部２１、照明部２２、カメラ部２３、撮影画像表示部２４、カメラ画像表示部２５、および、操作部２６により構成されている。なお、ここには図示しないが、撮影部２には、ユーザにある動作を促すよう音声案内を行うための音声出力部が含まれていてもよい。
【００７３】〜【００７５】（省略）
【００７６】
　撮影画像表示部２４は、ユーザにユーザインターフェイスを提供するものであり、各種画像や各種操作ボタン等を表示する。撮影画像表示部２４は、例えば、液晶表示素子等のフラットパネルディスプレイやＣＲＴなどの表面にタッチパネルが設けられて構成されている。カメラ部２３が撮影した撮影画像を撮影画像表示部２４に表示することにより、ユーザは、撮影画像を確認することができる。
【００７７】（省略）
【００７８】
　操作部２６は、写真シール機１に対するゲームの操作をユーザが行うための指示信号を入力する入力デバイスである。本実施形態では、操作部２６を撮影画像表示部２４と一体としたタッチパネルとして実現する。すなわち、撮影画像表示部２４に、操作ボタンなどのＧＵＩ画面を表示する。撮影画像表示部２４の表示画面がユーザの指、または、タッチペンなどのポインティングデバイスなどにより押下されることにより、その位置に対応するボタンや画像を示す指示信号が、写真シール機１内部に入力される。
【００７９】
　なお、本実施形態では、操作部２６を撮影画像表示部２４と一体に設けたタッチパネルとして構成することとしたが、これに限定されず、操作部２６を、例えば、テンキーや十字キーなどが設けられたリモコンや、キーボードなどの入力デバイスとして構成してもよい。
【００８０】
　
編集部３は、編集工程を実行するものであり、タッチパネル部３１およびタッチペン３２により構成されている。
【００８１】
　
タッチパネル部３１は、
編集画像表示部３１ａおよび操作受付部３１ｂにより構成される。
操作受付部３１ｂは、タッチペンなどのポインティングデバイスを用いることにより入力されたユーザの指示信号を受け付けて、写真シール機１内部に伝達するものである。
【００８２】（省略）
【００８３】
　
なお、本実施形態では、複数のユーザが容易に画像編集を行うようにするために、タッチペン３２を２本配備しているが、構成の簡略化のために、１本のみを配備することもできるし、３人以上のユーザのために、３本以上を配備することもできる。同様に、タッチペン３２を複数個配備することもできる。
　カ「【０１２４】
　（写真画像処理装置装置における表示画面の遷移） 次に、図５を参照して、写真シール機（写真画像処理装置）１における表示画面の遷移について説明する。図１のＳ１０１では、ユーザは所持するユーザ端末２００のメールアドレスの入力を行う。図５の９０ａは、メールアドレスの入力を行うための入力インタフェース画面である。サーバのアドレス、照合ＩＤ、およびサーバのアドレスを入力したメールプログラムを起動させる動作をＱＲコード（登録商標）化し、作成したＱＲコード（登録商標）を画面上に表示して、ユーザ端末２００のカメラ等で撮影することによって、メール送信画面をユーザ端末２００に表示させ、メールアドレスの手動入力に替えている。
【０１２５】
　メールアドレスの入力が終了すると、図１のＳ１０１より前のステップで撮影し、背景画像の合成や落書きを終えておいた合成画像を図５の９０ｃのように画面に表示し、所定の枚数までユーザに選択させる。９０ｂでは、Ａ〜Ｆの６つの合成画像からいずれかをユーザに選択させている。所定の枚数の合成画像を選択した後、ユーザ端末２００の画面に戻り、ユーザは所持するユーザ端末２００を用いてメールの送信処理を行う。ユーザ端末２００では、９０ａにて表示されたＱＲコード（登録商標）を読み取ることによって、画面９０ｃのようなメールが作成される。ユーザはこの画面９０ｃを送信することで、ユーザ端末２００のメールアドレス入力に替えることができる。
【０１２６】
　画面９０ｃのメールの送信を完了すると、サーバ１００は送信されたメールアドレスに対して画面９０ｄのようなメールを返信し、メールアドレスの登録が完了したことを通知する。その後、写真シール機１の表示画面は、９０ａの初期状態に遷移する。」
　キ「【０１３３】
　（写真撮影プリント装置における全体の処理の流れ） まず、図７に示すフロー図を参照しながら、写真シール機１の動作フローについて説明する。最初に、プレイ開始の受付処理として、撮影画像表示部２４に待機状態のデモンストレーション画面が表示される。デモンストレーション画面には、写真シール機１のマシーン名称、略称、概略等の情報が含まれる。なお、このデモ画面において、「コインを投入してね」というような、ユーザにコイン投入を促すメッセージを表示してもよい。
【０１３４】
　Ｓ１において、撮影空間に進入したユーザによりコイン投入がなされ、課金処理部による課金処理が終了すると、デモンストレーション画面を撮影処理用画面に切り替えて受付処理を完了する。
【０１３５】〜【０１４９】（省略）
【０１５０】
　Ｓ２８において、サーバ１００の登録等処理サーバ１４０は、画像が保存されたフォルダへアクセスするためのＵＲＬなどのアクセス情報を作成する。なお、サイト閲覧処理のＡからの処理も、同様にＳ２８の処理へと進む。
【０１５１】
　
Ｓ２９において、サーバ１００のメールサーバ１６０は、アクセス情報を付加したメールをユーザ端末２００に対して送信する。Ｓ３０において、サーバ１００のＷＥＢサーバ１２０はユーザ端末２００に送信したアクセス情報から、ユーザによるアクセスが行われたか否かを確認する。
【０１５２】
　ユーザ端末２００からのアクセスが確認された場合（Ｓ３０でＹＥＳ）、処理はＳ３１に進む。
ユーザ端末２００からのアクセスが確認されない場合（Ｓ３０でＮＯ）、処理はＳ３０の最初に戻り、ユーザ端末２００からのアクセス待ち状態を繰り返す。
　ク「図４
」
　図４から、タッチパネル部３１の操作受付部３１ｂは、２本のタッチペン３２からの操作入力を受け付け得ることが読み取れる。
　ケ「図５
」
　図５から、以下の事項が読み取れる。
　（ａ）画面９０ａとして「〜メールアドレス登録〜　下のＱＲコードを、携帯電話で読取って、メールをそのまま送信してね。メールアドレスの登録が終わったらメールで連絡するよ。」という文章を該画面の上側に左右２つ並べて表示するとともに、「ＱＲコードの画像」を該画面の下側に左右２つ並べて表示すること。
　（ｂ）画面９０ｂとして、「送信する画像を選択してね」という文章を該画面の上部に左右２つ並べて表示し、６つの合成画像Ａ〜Ｆの画像セットを該画面の中央部に左右２セット並べて表示するとともに、決定ボタンを該画面の下部に左右２つ並べて表示すること。
　したがって、上記引用文献１には次の発明（以下、「引用発明」という。）が記載されていると認められる。
「写真シール機１及びユーザ端末２００と通信するサーバ１００であって（上記イ）、
　前記サーバ１００は、ＷＥＢサーバ１２０、メールサーバ１６０を備え（上記イ、エ）、
　ユーザから料金を徴収することによって、制限時間内にユーザを写真撮影する撮影機能、撮影画像に対して画像編集し合成画像を生成する編集機能、合成画像をプリントするプリント機能、前記サーバ１００を介して前記合成画像を前記ユーザ端末２００に送信する機能を有し、ゲーム中に、写真撮影、撮影画像に対する編集処理、合成画像のプリント出力、サーバからの情報受信をするために、自己の携帯電話機のメールアドレスを登録することで終了するゲームを提供する前記写真シール機１によって、前記ユーザからの入力を受け付けたユーザのメールアドレスの情報などを含む付加情報と、合成画像情報が、前記サーバ１００に送信され（上記イ、ウ、カ）、
　前記サーバ１００は、前記写真シール機１から、前記合成画像情報、および、前記ユーザのメールアドレスの情報などを含む付加情報、これらの対応付け情報を受信し（上記イ）、
　これらを互いに対応付けて記憶し（上記イ）、
　前記サーバ１００の前記メールサーバ１６０は、ユーザのメールアドレスに対して、前記合成画像を取得することができるページのアドレス情報（アクセス情報）を示したメールを送信し（上記イ、ウ、エ、キ）、
　前記サーバ１００の前記ＷＥＢサーバ１２０は、前記ユーザ端末２００に送信したアクセス情報から、ユーザによるアクセスが行われたか否かを確認し、前記ユーザ端末２００からのアクセスが確認されない場合、前記ユーザ端末２００からのアクセス待ち状態を繰り返す（上記エ、キ）、
　サーバ１００。」
　２．引用文献２について
　原査定の拒絶の理由に引用された上記引用文献２には、図面とともに次の事項が記載されている。
　「【０００１】
　【発明の属する技術分野】
本発明は、シュレッダ機能付スキャナ装置、該装置を用いた画像読取サービス提供システム、プログラム、及び記録媒体に関する。
　「【０００４】
　未だに既存の紙による資料配布が盛んに行われているのは、印刷物が、イベント参加者へ視覚的にアピールする要素が強い上に、その場で書き込みができ、しかも安価であるからに他ならない。このような現状から、イベント参加者は様々な団体（企業）から資料を受け取ることになる。この資料は、例えばイベント参加者が会社の上司にイベントの技術的／営業的情報を伝える上で、非常に重要な意味合いをもつ。
　【０００５】
　イベント会場で受け取った資料の中には不必要なものもあり、必要なものをピックアップしておいて、帰宅後、インターネット上で取り寄せるなどの方法が考えられるが、例えばセミナを聴いてその資料にメモ書きをした場合、そのメモ書きは必要となる。すなわち、必要な資料を選別する手間もあり、結局、一度のイベントで多量の資料を持ち帰る必要がある。現在、このような状況を踏まえて配送業者がイベント会場で資料の配送サービスを展開して盛況を得ている。
　【０００６】
　しかしながら、配送業者に配送サービスを依頼しても、最終的に手元に膨大な資料が積まれることになる。また、重要なメモ書きがその資料に在った場合、その資料の紛失が危ぶまれる。
　【０００７】
　【発明が解決しようとする課題】
本発明は、
イベント会場において配布される資料を持ち帰る必要なく、無事に指定先に転送することが可能な、シュレッダ機能付スキャナ装置、該装置を用いた画像読取サービス提供システム、コンピュータをそのシステムとして機能させるためのプログラム、及びそのプログラムを記録したコンピュータ読み取り可能な記録媒体を提供することをその目的とする。
　「【００２３】
　【発明の実施の形態】図１は、本発明の一実施形態に係るシュレッダ機能付スキャナ装置を説明するための概略図、図２は、本発明の一実施形態に係るシュレッダ機能付スキャナ装置の構成を説明するための図である。
本実施形態に係るシュレッダ機能付スキャナ装置１は、書類を画像データとして読み取るためのスキャナ部（画像読取手段）１１と、スキャナ部１１で読み取った後の書類を裁断するためのシュレッダ部（裁断手段）１２とを備えるものとする。
　「【００２９】
　図４は、本発明の一実施形態に係る画像読取サービス提供システムを説明するための図である。本発明の一実施形態に係る画像読取サービス提供システム（以下、本システムと呼ぶ）は、上述した各実施形態のシュレッダ機能付スキャナ装置を用いて、書類を画像読取手段により電子化してユーザに画像データを提供するためのシステムである。なお、
本発明に係る画像読取サービス提供システムは、シュレッダ機能付スキャナ装置を用いるものとして説明するが、上述の各実施形態のシュレッダ機能付スキャナ装置における裁断手段を主たる構成要素とするシュレッダ機能を除いたスキャナ装置を用いる形態も採り得る。
【００３０】
　また、
本発明においては、イベント会場に限らず、乗物の乗降用ターミナル（駅）の近辺でシュレッダ機能付スキャナ装置を設置し、画像読取サービスを提供する場合にも向いている。
【００３１】
　
本システムは、シュレッダ機能付スキャナ装置１（２）とインターネット６などでネットワーク接続されたメール配信用サーバ装置３を備え、さらに、シュレッダ機能付スキャナ装置１（２）は、画像データを送信する送信先を入力する送信先入力手段を備えるものとする。メール配信用サーバ装置３は、画像記憶手段に記憶された画像データを、送信先入力手段に送信先として入力された電子メールアドレスに送信する。
【００３２】〜【００３３】（省略）
【００３４】
　
本発明の他の実施形態に係る画像読取サービス提供システム（以下、本システムと呼ぶ）として、送信先情報データベース４２と画像データベース４３などの画像格納手段とを有するデータ保管サーバ装置４１を備えるようにしてもよい。
【００３５】
　
データ管理サーバ装置４１は、画像データを保管した期間の対価を課金する課金手段を有するようにしてもよい。この場合、データ管理サーバ装置４１は、データ管理サーバ装置４１とインターネット６等のネットワークを介して接続されたユーザ５のもつクライアント装置５１に、ユーザ５の書類（ユーザ５がイベントなどで収集した書類など）から読み取った画像データをダウンロードさせることを可能としておく必要がある。ここで、ダウンロードとは、クライアント装置（ＰＣ）５１のＷＷＷブラウザ等からデータ管理サーバ装置のＷＷＷサーバにアクセスして、データを取り込むことに加え、データを消去する旨を通知することも含むものとする。
【００３６】
　
本発明の他の実施形態に係る画像読取サービス提供システムとして、送信先情報データベース４２に、ユーザが画像データをダウンロード済みか否かを示すフラグを送信先データと関連付けて格納し、所定の期間、フラグがダウンロード済みであることを示さなかった場合には、そのユーザの送信先へ、そのユーザの画像データを送信するか、或いはダウンロードを促す情報を送信するようにしてもよい。
　したがって、上記引用文献２には、「イベント会場等において配布される資料を持ち帰る必要なく、無事に指定先に転送することが可能とするために用いられるシュレッダ機能付スキャナ装置１（２）又はスキャナ装置とインターネット６などでネットワーク接続されたメール配信用サーバ装置３を備え、さらに、シュレッダ機能付スキャナ装置１（２）又はスキャナ装置は、画像データを送信する送信先を入力する送信先入力手段を備え、メール配信用サーバ装置３は、画像記憶手段に記憶された画像データを、送信先入力手段に送信先として入力された電子メールアドレスに送信するものであり、送信先情報データベース４２と画像データベース４３などの画像格納手段とを有するデータ保管サーバ装置４１を備える画像読取サービス提供システムにおいて、送信先情報データベース４２に、ユーザが画像データをダウンロード済みか否かを示すフラグを送信先データと関連付けて格納し、所定の期間、フラグがダウンロード済みであることを示さなかった場合には、そのユーザの送信先へ、ダウンロードを促す情報を送信する」という技術的事項が記載されていると認められる。
３．引用文献３について
　原査定の拒絶の理由に引用された上記引用文献３には、図面とともに次の事項が記載されている。
　「【０００１】
　【発明の属する技術分野】
この発明は、ファクシミリ文書を送受信すると共に、そのファクシミリ文書をインターネット，イーサネット等のネットワークへ電子メールとして送信するファクシミリ装置に関する。
　「【０００６】
　【発明が解決しようとする課題】しかしながら、上述した従来のファクシミリ装置では、ＦＡＸ受信したＦＡＸ文書を転送先の宛先は異なるが同じ内容の複数の電子メールをネットワーク上のサーバに送信してしまうので、サーバの処理負担を増加させてしまうという問題があった。
【０００７】
　特に、電子メール化したＦＡＸ画像は通常のキャラクタデータのみの電子メールと異なってデータサイズが大容量になるので、このような電子メールをサーバへ一度に多数通送ると、サーバの負荷が大きくなってネットワーク上の電子メールのやり取りが滞ってしまうという問題があった。
【０００８】
　この発明は上記の点に鑑みてなされたものであり、ネットワーク上のサーバに対して電子メール化した同じ内容のＦＡＸ文書を一度に複数通転送しなくても各クライアント端末装置が自装置宛の電子メールを滞り無く受け取れるようにすることを目的とする。」
「【００２８】
　【発明の実施の形態】以下、この発明の実施の形態を図面に基づいて具体的に説明する。
図１はこの発明のファクシミリ装置の一実施形態であるファックスメールゲートウェイ（ＦＡＸ−Ｍａｉｌ  Ｇａｔｅｗａｙ，以下「ＦＡＸ−ＭＧ」と略称する）のハードウェア構成を示すブロック図である。
【００２９】
　このＦＡＸ−ＭＧは、ＣＰＵ１，ＲＯＭ２，ＲＡＭ３，タイマ４，画像蓄積メモリ５，メール宛先管理テーブル６，サブアドレス・メールアドレス対応表７，ＬＡＮコントローラ８，トランス９，モデム（ＭＯＤＥＭ）１０，ネットワークコントロールユニット（ＮＣＵ）１１，符号化・復号化器（ＤＣＲ）１２，スキャナ１３，及びプリンタ１４等からなる。」
　「【００７３】
　
図１１はメール宛先管理テーブルのフォーマット例を示す図である。このメール宛先管理テーブル６は、サブアドレス・メールアドレス対応表７のファクシミリ受信したＦＡＸ文書のサブアドレスに対応する部分から配信先のメールアドレスに対応する部分をコピーし、それぞれにＦＡＸ文書の画像データのイメージを一意に決定するＩＤを付加し、さらに状態フィールドを追加して作成する。
【００７４】
　
そして、着信通知メールを送信した直後は、配信先のメールアドレスに該当する状態フィールドに未配信の情報を記録する。その後、クライアント端末装置から画像要求メールを受信すると、その「Ｍｅｓｓａｇｅ−Ｉｄ：」フィールドに示されたＦＡＸ文書の画像データのＩＤと「Ｆｒｏｍ：」フィールドに示された配信先アドレスが共に一致している部分を宛先管理テーブルから検索する。
【００７５】
　
その検索された配信先のアドレス宛に該当するＦＡＸ文書の画像データを電子メールに変換して送信し、先に検索された部分の状態フィールドの未送信を配信済みに書き替える。
そして、ＦＡＸ文書の画像データのＩＤの全ての状態フィールドが配信済みになったら、その画像データを画像蓄積メモリ５から削除する。
【００７６】
　図１２はＦＡＸ文書とサブアドレス・メールアドレス対応表とメール宛先管理テーブルの参照関係を示す説明図である。まず、ＦＡＸ文書を受信すると、そのＦＡＸプロトコル情報の「サブアドレス」を取得し、ステップ（図中「Ｓ」で示す）１でその「サブアドレス」に基づいてサブアドレス・メールアドレス対応表のサブアドレス欄を参照し、該当する「サブアドレス」に対応する「配信先メールアドレス」を決定する。
【００７７】
　さらに、ステップ２でその「配信先メールアドレス」とＦＡＸ文書の「ＦＡＸイメージＩＤ」とによってメール宛先管理テーブルを作成する。このメール宛先管理テーブルは１回のＦＡＸ受信毎に作成する。
【００７８】
　その後、クライアント端末装置から画像要求メールを受信すると、メール宛先管理テーブルの「状態」フィールドに基づいて宛先毎の配信状況を確認する。そして、ステップ３で画像要求メールにあった着信通知メールのメッセージＩＤに基づいてＦＡＸイメージＩＤを決定し、そのＦＡＸイメージ本体の画像データを取得する。
【００７９】
　
このようにして、ＦＡＸ文書を全ての宛先のクライアント端末装置へ配信したことを確認した後に削除するので、全宛先に配信済みの不要になった画像データを画像蓄積メモリ５からタイミング良く削除することができ、不要な画像データを貯め込むことなく、ＦＡＸ−ＭＧ２０のメモリ容量を有効に活用することができる。
【００８０】
　
次に、ＦＡＸ−ＭＧ２０でＦＡＸ文書を転送するメールアドレスがメールサーバ２４で管理するグループアドレスや別名アドレスのときは、メール宛先管理テーブル６上のアドレスと画像要求メール内のアドレスとが一致しなくなるので、全ての宛先に配信したか否かを判断することが難しくなる。そこで、このＦＡＸ−ＭＧ２０における画像蓄積メモリ５に蓄積した画像データを予め設定した有効期限が経過したときに削除する処理について説明する。
【００８１】
　この処理では、配信先のメールアドレスに着信通知メールを送信した直後に、メール宛先管理テーブル６の配信先のメールアドレスに該当する状態フィールドに未配信の情報を記録する。
但し、サブアドレス・メールアドレス対応表７の種類フィールドにグループ（又は、エイリアス）という属性が記録されている場合、未配信を記録する代わりに「Ｎ／Ａ（無効）」を記録する。
【００８２】
　
また、メール宛先管理テーブル６の作成時、タイマの属性を付加する。そのタイマの属性にはユーザが予め設定した受信したＦＡＸ文書の画像データの保持時間を記録する。その後、クライアント端末装置から画像要求メールを受信すると、その「Ｍｅｓｓａｇｅ−Ｉｄ：」フィールドに示されたＦＡＸ文書の画像データのＩＤと「Ｆｒｏｍ：」フィールドに示された配信先アドレスが共に一致している部分を宛先管理テーブルから検索する。
【００８３】
　
その検索された配信先のアドレス宛に該当するＦＡＸ文書の画像データを電子メールに変換して送信し、先に検索された部分の状態フィールドの未送信を配信済みに書き替える。
状態フィールドにＮ／Ａ（無効）が記録されているときにはそのままにする。
【００８４】
　
そして、ＦＡＸ文書の画像データのＩＤの全ての状態フィールドが配信済みになったら、その画像データを画像蓄積メモリ５から削除する。しかし、状態フィールドにＮ／Ａ（無効）が記録されているＦＡＸ文書についてはグループなので削除しない。
【００８５】
　
そこで、タイマ４はメール宛先管理テーブル６内の全てのＦＡＸ文書の保持時間を検索し、現在の時間と比較して経過しているものを見つけ出す。その結果保持時間が経過したＦＡＸ文書の状態フィールドを配信済みに書き替える。この場合、既にＮ／Ａ（無効）が記録されていても配信済みに書き替える。
【００８６】
　
そして、ＦＡＸ文書の画像データのＩＤの全てのフィールドが配信済みになったら、そのＦＡＸ文書の画像データを削除する。したがって、グループの場合、予め設定した保持時間内なら状態フィールドの属性はＮ／Ａ（無効）のままだが、その保持時間を経過すると配信済みに書き替えて削除する。
【００８７】
　
このようにして、配信先が複数のクライアント端末装置を含むグループの場合には、所定の時間を経過した後にＦＡＸ文書の画像データを削除することができるので、配信すべき全クライアント端末装置を特定できない場合にいつまでもＦＡＸ文書の画像データを蓄積したままで削除できなくなるような状態を回避することができる。
【００８８】
　
次に、タイマ４によって保持時間が経過した画像データを一方的に削除してしまうと、うっかり画像要求メールを出さなかったクライアント端末装置のユーザがＦＡＸ文書を受け取れなくなると不便なので、画像データの削除前に画像要求メールを受信していないクライアント端末装置へ画像データを削除することを警告するメールを送信して注意を促すとよい。
【００８９】
　
この処理では、ＦＡＸ−ＭＧ２０は着信通知メールを作成して送信するとき、タイマ４で指定された画像データの保持時間を本文内に記入して（図１０に一点鎖線枠で示す）送信する。そして、その着信通知メールの送信後、タイマ４でメール宛先管理テーブル６の画像データの保持時間を検索し、現在の時間と比較して経過したものを見つける前に画像データを削除することを警告する警告メールを作成する。
【００９０】
　
その警告メールの宛先はメール宛先管理テーブル６から該当するものを得ることができ、ヘッダには「Ｍｅｓｓａｇｅ−ＩＤ」「Ｓｕｂｊｅｃｔ」にＦＡＸ文書の「ＦＡＸイメージＩＤ」を付加する。こうして、クライアント端末装置側では受け取った警告メールをそのまま返信することによって画像要求メールにすることができる。
【００９１】
　
このようにして、各クライアント端末装置のユーザは、自装置宛のＦＡＸ文書が削除される期限を容易に知ることができ、その期限内に必要なＦＡＸ文書を要求することができる。
　したがって、上記引用文献３には、「ＦＡＸ−ＭＧ（ファックスメールゲートウェイ（ＦＡＸ−Ｍａｉｌ  Ｇａｔｅｗａｙ）２０でＦＡＸ文書を転送するメールアドレスがメールサーバ２４で管理するグループアドレスや別名アドレスのときは、メール宛先管理テーブル６上のアドレスと画像要求メール内のアドレスとが一致しなくなるので、全ての宛先に配信したか否かを判断することが難しくなることから、このＦＡＸ−ＭＧ２０における画像蓄積メモリ５に蓄積した画像データを予め設定した有効期限が経過したときに削除するために、配信先のメールアドレスに着信通知メールを送信した直後に、メール宛先管理テーブル６の配信先のメールアドレスに該当する状態フィールドに未配信の情報を記録し、サブアドレス・メールアドレス対応表７の種類フィールドにグループ（又は、エイリアス）という属性が記録されている場合、未配信を記録する代わりに「Ｎ／Ａ（無効）」を記録し、メール宛先管理テーブル６の作成時、タイマの属性を付加するためにユーザが予め設定した受信したＦＡＸ文書の画像データの保持時間を記録し、その後、クライアント端末装置から画像要求メールを受信すると、その「Ｍｅｓｓａｇｅ−Ｉｄ：」フィールドに示されたＦＡＸ文書の画像データのＩＤと「Ｆｒｏｍ：」フィールドに示された配信先アドレスが共に一致している部分を宛先管理テーブルから検索し、検索された配信先のアドレス宛に該当するＦＡＸ文書の画像データを電子メールに変換して送信し、先に検索された部分の状態フィールドの未送信を配信済みに書き替え、ＦＡＸ文書の画像データのＩＤの全ての状態フィールドが配信済みになったら、その画像データを画像蓄積メモリ５から削除し、状態フィールドにＮ／Ａ（無効）が記録されているＦＡＸ文書についてはグループなので画像データを削除せずに、タイマ４はメール宛先管理テーブル６内の全てのＦＡＸ文書の保持時間を検索し、現在の時間と比較して経過しているものを見つけ出し、保持時間が経過したＦＡＸ文書の状態フィールドを配信済みに書き替えるとともに、既にＮ／Ａ（無効）が記録されていても配信済みに書き替え、ＦＡＸ文書の画像データのＩＤの全てのフィールドが配信済みになったら、そのＦＡＸ文書の画像データを削除する際に、タイマ４によって保持時間が経過した画像データを一方的に削除してしまうと、うっかり画像要求メールを出さなかったクライアント端末装置のユーザがＦＡＸ文書を受け取れなくなると不便なので、画像データの削除前に画像要求メールを受信していないクライアント端末装置へ画像データを削除することを警告するメールを送信して注意を促す」という技術的事項が記載されていると認められる。
第６ 対比・判断
　１．本願発明１について
　（１）対比
　本願発明１と引用発明とを対比すると、次のことがいえる。
　ア　引用発明における「写真シール機１及びユーザ端末２００と通信するサーバ１００」において、引用発明における「写真シール機１」は、本願発明１の「撮影装置」に相当し、引用発明における「ユーザ端末２００」は、本願発明１の「ユーザーの携帯端末」に相当する。また、引用発明の「サーバ１００」は、後述する相違点は別にして、本願発明１の「管理装置」に相当する。そして、本願発明１の「第１及び第２ユーザー」は「ユーザー」に包含されるものであるから、引用発明における「写真シール機１及びユーザ端末２００と通信するサーバ１００」は、ユーザ端末が第１及び第２のユーザの端末であることが特定されていないものの、本願発明１の「撮影装置及び第１及び第２ユーザーの携帯端末と通信する管理装置」と、「撮影装置及びユーザーの携帯端末と通信する管理装置」で共通する。
　イ　引用発明における「ユーザから料金を徴収することによって、制限時間内にユーザを写真撮影する撮影機能、撮影画像に対して画像編集し合成画像を生成する編集機能、合成画像をプリントするプリント機能、前記サーバ１００を介して前記合成画像を前記ユーザ端末２００に送信する機能を有し、ゲーム中に、写真撮影、撮影画像に対する編集処理、合成画像のプリント出力、サーバからの情報受信をするために、自己の携帯電話機のメールアドレスを登録することで終了するゲームを提供する前記写真シール機１」について、「写真撮影、撮影画像に対する編集処理、合成画像のプリント出力、サーバからの情報受信をするために、自己の携帯電話機のメールアドレスを登録する」ことは、料金を支払うことで、所定時間内に実行される一連のゲームサービスで有り、引用発明における１回のゲームは、本願発明１の「１プレイ」に相当し、引用発明のゲーム中に作成される「合成画像」は、本願発明１の「１プレイ分の画像データ」に相当し、引用発明のゲーム中に登録されるユーザの「メールアドレス」は、本願発明１の「１プレイ中に取得した」「ユーザアドレス」に相当する。
　そして、引用発明における「前記写真シール機１によって、前記ユーザからの入力を受け付けたユーザのメールアドレスの情報などを含む付加情報と、合成画像情報が、前記サーバ１００に送信され」、「前記サーバ１００は、前記写真シール機１から、前記合成画像情報、および、前記ユーザのメールアドレスの情報などを含む付加情報、これらの対応付け情報を受信し」について、サーバ１００が「通信手段」を備えることは明らかであり、引用発明の「前記合成画像情報、および、前記ユーザのメールアドレスの情報などを含む付加情報、これらの対応付け情報」は、アドレス情報が第１及び第２のユーザーのものであることが特定されていない点は別にして、本願発明１の「プレイ情報」に相当し、引用発明の「前記サーバ１００は、前記写真シール機１から、前記合成画像情報、および、前記ユーザのメールアドレスの情報などを含む付加情報、これらの対応付け情報を受信」する「通信手段」と、本願発明１の「前記撮影装置により作成された１プレイ分の画像データと、前記撮影装置が１プレイ中に取得した前記第１及び第２ユーザーのアドレス情報と、を含むプレイ情報を受信する通信部」とは、「前記撮影装置により作成された１プレイ分の画像データと、前記撮影装置が１プレイ中に取得した前記ユーザーのアドレス情報と、を含むプレイ情報を受信する通信部」で共通する。
　ウ　引用発明における「前記サーバ１００は、前記写真シール機１から、前記合成画像情報、および、前記ユーザのメールアドレスの情報などを含む付加情報、これらの対応付け情報を受信し」、「これらを互いに対応付けて記憶」することについて、サーバ１００が、写真シール機１から受信した合成画像情報、および、ユーザのメールアドレスの情報などを含む付加情報、これらの対応付け情報を、互いに対応付けて記憶する「記憶手段」を備えることは明らかであるから、引用発明の当該記憶手段は、本願発明１の「前記画像データと前記アドレス情報とを関連づけて記憶する記憶部」に相当する。
　エ　引用発明の「前記サーバ１００の前記メールサーバ１６０は、ユーザのメールアドレスに対して、前記合成画像を取得することができるページのアドレス情報（アクセス情報）を示したメールを送信し」、「前記サーバ１００の前記ＷＥＢサーバ１２０は、前記ユーザ端末２００に送信したアクセス情報から、ユーザによるアクセスが行われたか否かを確認し、前記ユーザ端末２００からのアクセスが確認されない場合、前記ユーザ端末２００からのアクセス待ち状態を繰り返す」ことについて、サーバ１００のＷＥＢサーバ１２０はユーザ端末２００に送信したアクセス情報から、ユーザによるアクセスが行われたか否かを確認することから、サーバ１００は、ユーザから画像データの取得を試みるアクセスがあったか否かを判定する「判定手段」を有するといえる。よって、引用発明のユーザから画像データの取得を試みるアクセスがあったか否かを判定する「判定手段」は、本願発明１の「前記第１又は第２ユーザーから前記画像データの取得を試みるアクセスが所定期間内にあったか否かを判定する判定部」と、「ユーザから前記画像データの取得を試みるアクセスがあったか否かを判定する判定部」で共通する。
　したがって、本願発明１と引用発明との間には、次の一致点、相違点があるといえる。
（一致点）
「撮影装置及びユーザーの携帯端末と通信する管理装置であって、
　前記撮影装置により作成された１プレイ分の画像データと、前記撮影装置が１プレイ中に取得した前記ユーザーのアドレス情報と、を含むプレイ情報を受信する通信部と、
　前記画像データと前記アドレス情報とを関連づけて記憶する記憶部と、
　前記ユーザから前記画像データの取得を試みるアクセスがあったか否かを判定する判定部、を備える管理装置。」
（相違点）
（相違点１）本願発明１は、管理装置が、「第１及び第２ユーザーの携帯端末と通信」し、このため、プレイ情報に「第１及び第２ユーザーのアドレス情報」が含まれ、判定部が行う判定処理に「第１及び第２ユーザーのアドレス情報」が用いられるのに対し、引用発明は、サーバ１００が、ユーザ端末と通信し、ユーザのメールアドレス情報を含む情報を取得するものの、第１及び第２ユーザーの携帯端末と通信すること、第１及び第２のユーザーのアドレス情報を取得することは特定がなされておらず、そのため、引用発明には、第１及び第２のユーザーのアドレス情報に関する構成が特定されていない点。
（相違点２）「前記ユーザから前記画像データの取得を試みるアクセスがあったか否かを判定する判定部」について、本願発明１は「前記第１又は第２ユーザーから前記画像データの取得を試みるアクセスが所定期間内にあったか否かを判定する判定部」であり、「前記アクセスが所定期間内に行われていないと判定された場合に、前記画像データに関連づけられた前記第１又は第２ユーザーのアドレス情報に基づいて、当該画像データのダウンロードを促すための所定の通知を実行する通知部」という構成を備えるのに対し、引用発明は、「前記サーバ１００の前記ＷＥＢサーバ１２０は、前記ユーザ端末２００に送信したアクセス情報から、ユーザによるアクセスが行われたか否かを確認」するものであって、「前記ユーザ端末２００からのアクセスが確認されない場合、前記ユーザ端末２００からのアクセス待ち状態を繰り返す」処理を行う手段を備える点。
　（２）相違点についての判断
　ア　上記相違点１について検討する。
　引用文献１の【００８３】には、写真シール機１が、複数のユーザがタッチパネル部３１で容易に画像編集を行うようにするためにタッチペン３２を複数個配備し得ることが記載されている。また、引用文献１の図４から、タッチパネル部３１の操作受付部３１ｂは、２本のタッチペン３２からの操作入力を受け付け得ることが読み取れる。
　また、引用文献１の図５、【０１２４】−【０１２６】の記載から、引用発明の写真シール機１において、ユーザが写真シール機１に表示されたＱＲコードを読取ってユーザ端末のメールアドレスを登録処理に進むための画面、ユーザが合成画像を選択する画面として、同じ内容の画面を２つ左右に並べて表示させることが記載されている。
　これらのことから、引用発明において、写真シール機１においてユーザ端末をそれぞれ所持する２人のユーザが一緒にゲームをプレイするようなプレイ環境を想定し、タッチペンなどの入力手段や、画面インターフェイスの構成を考慮していることは当業者にとって自明である。してみると、引用発明において、２人のユーザがそれぞれ選択した合成画像を、それぞれのユーザが所持するユーザ端末においてダウンロード可能とするために、引用発明のシール機１及びサーバ１００において、１人のユーザのメールアドレスではなく、２人のユーザのメールアドレスを取得する構成とすることは、当業者が容易に想到し得たことである。
　よって、引用発明において、利用形態の一つとして想定される２人のユーザが一緒にゲームをプレイする利用する場合に対応すべく、各ユーザが選択した合成画像を各ユーザ端末においてダウンロード可能できるように、各ユーザ端末のメールアドレスを取得する構成とすることで、引用発明の「サーバ１００」が、「第１及び第２ユーザーの携帯端末と通信」するとともに、プレイ情報に「第１及び第２ユーザーのアドレス情報」を含め、判定部が行う判定処理に「第１及び第２ユーザーのアドレス情報」を用いるように構成し、上記相違点１に係る構成とすることは、当業者が容易に想到し得たことである。
　イ　上記相違点２について検討する。
　（ア）　上記「第５」「２．」のとおり、引用文献２には「イベント会場等において配布される資料を持ち帰る必要なく、無事に指定先に転送することが可能とするために、シュレッダ機能付スキャナ装置１（２）又はスキャナ装置とインターネット６などでネットワーク接続されたメール配信用サーバ装置３を備え、さらに、シュレッダ機能付スキャナ装置１（２）又はスキャナ装置は、画像データを送信する送信先を入力する送信先入力手段を備え、メール配信用サーバ装置３は、画像記憶手段に記憶された画像データを、送信先入力手段に送信先として入力された電子メールアドレスに送信するものであり、送信先情報データベース４２と画像データベース４３などの画像格納手段とを有するデータ保管サーバ装置４１を備える画像読取サービス提供システムにおいて、送信先情報データベース４２に、ユーザが画像データをダウンロード済みか否かを示すフラグを送信先データと関連付けて格納し、所定の期間、フラグがダウンロード済みであることを示さなかった場合には、そのユーザの送信先へ、ダウンロードを促す情報を送信する」という技術的事項が記載されていると認められる。
　（イ）　上記「第５」「３．」のとおり、引用文献３には「ＦＡＸ−ＭＧ（ファックスメールゲートウェイ（ＦＡＸ−Ｍａｉｌ  Ｇａｔｅｗａｙ）２０でＦＡＸ文書を転送するメールアドレスがメールサーバ２４で管理するグループアドレスや別名アドレスのときは、メール宛先管理テーブル６上のアドレスと画像要求メール内のアドレスとが一致しなくなるので、全ての宛先に配信したか否かを判断することが難しくなることから、このＦＡＸ−ＭＧ２０における画像蓄積メモリ５に蓄積した画像データを予め設定した有効期限が経過したときに削除するために、配信先のメールアドレスに着信通知メールを送信した直後に、メール宛先管理テーブル６の配信先のメールアドレスに該当する状態フィールドに未配信の情報を記録し、サブアドレス・メールアドレス対応表７の種類フィールドにグループ（又は、エイリアス）という属性が記録されている場合、未配信を記録する代わりに「Ｎ／Ａ（無効）」を記録し、メール宛先管理テーブル６の作成時、タイマの属性を付加するためにユーザが予め設定した受信したＦＡＸ文書の画像データの保持時間を記録し、その後、クライアント端末装置から画像要求メールを受信すると、その「Ｍｅｓｓａｇｅ−Ｉｄ：」フィールドに示されたＦＡＸ文書の画像データのＩＤと「Ｆｒｏｍ：」フィールドに示された配信先アドレスが共に一致している部分を宛先管理テーブルから検索し、検索された配信先のアドレス宛に該当するＦＡＸ文書の画像データを電子メールに変換して送信し、先に検索された部分の状態フィールドの未送信を配信済みに書き替え、ＦＡＸ文書の画像データのＩＤの全ての状態フィールドが配信済みになったら、その画像データを画像蓄積メモリ５から削除し、状態フィールドにＮ／Ａ（無効）が記録されているＦＡＸ文書についてはグループなので削除せずに、タイマ４はメール宛先管理テーブル６内の全てのＦＡＸ文書の保持時間を検索し、現在の時間と比較して経過しているものを見つけ出し、保持時間が経過したＦＡＸ文書の状態フィールドを配信済みに書き替えるとともに、既にＮ／Ａ（無効）が記録されていても配信済みに書き替え、ＦＡＸ文書の画像データのＩＤの全てのフィールドが配信済みになったら、そのＦＡＸ文書の画像データを削除する際に、タイマ４によって保持時間が経過した画像データを一方的に削除してしまうと、うっかり画像要求メールを出さなかったクライアント端末装置のユーザがＦＡＸ文書を受け取れなくなると不便なので、画像データの削除前に画像要求メールを受信していないクライアント端末装置へ画像データを削除することを警告するメールを送信して注意を促す」という技術的事項が記載されていると認められる。
　（ウ）　しかしながら、引用文献２−３に記載された上記技術的事項は、画像データの「ダウンロード済み」であるか、又はＦＡＸ文書の画像データの「配信済み」であるかを判定するものであって、「前記画像データの取得を試みるアクセスが所定期間内にあったか否か」を判定することを示すものではない。
　（エ）　次に、引用発明と、引用文献２−３に記載された発明との「技術分野の関連性」について検討する。
　引用発明は、ユーザから料金を徴収してユーザにゲームを通じて当該ユーザの写真を撮影し、撮影された画像の編集作業を通じて生成された合成画像のシール紙などのプリント紙への出力機能と合成画像のダウンロード機能とをユーザに提供する「写真シール機」とこれに付随するサービスに関する技術分野に属する。
　一方、引用文献２に記載された発明は、イベント会場等において配布される資料をユーザが持ち帰る必要なくダウンロード可能とするために、該資料の画像データのダウンロード機能をユーザに提供する「シュレッダ機能付スキャナ装置」とこれに付随するサービスに関する技術分野に属し、引用文献３に記載された発明は、複数の配信先のユーザにＦＡＸ文書の画像データのダウンロード機能を提供する「ファクシミリ装置」とこれに付随するサービスに関する技術分野に属する。
　してみると、「写真シール機」に関する引用発明と、「シュレッダ機能付スキャナ装置」に関する引用文献２に記載された発明とは、適用される製品の種類が異なり、引用発明と引用文献２に記載された発明とは技術分野が異なる。同様に、「写真シール機」に関する引用発明と、「ファクシミリ装置」に関する引用文献３に記載された発明とは、適用される製品が異なり、引用発明と引用文献３に記載された発明とは技術分野が異なる。
　（オ）　さらに、引用発明と、引用文献２−３に記載された発明との「課題の共通性」について検討する。
　引用文献１の【０００６】の記載によれば、引用発明の課題は、「画像がサーバに保存され、画像を参照するためのアクセス情報が確定するまで、ユーザ端末に対して何の通知も届かなかったため、ユーザは正確にメールアドレスが入力されているか、といった不安を抱えた状態で待ちつづけなければならず、さらに、メールアドレスの入力が誤っていた場合、何の情報も届かないまま、長時間待たされる状況を解消すること」である。
　引用文献２の【０００７】の記載によれば、引用文献２に記載された発明の課題は、「イベント会場において配布される紙媒体の資料を持ち帰る必要なく、無事に指定先に転送すること」である。してみると、引用発明と引用文献２に記載された発明とは課題が異なり、共通する課題を有するものではない。
　引用文献３の【０００８】の記載によれば、引用文献３に記載された発明の課題は、「ネットワーク上のサーバに対して電子メール化した同じ内容のＦＡＸ文書を一度に複数通転送しなくても各クライアント端末装置が自装置宛の電子メールを滞り無く受け取れるようにすること」である。してみると、引用発明と引用文献３に記載された発明とは課題が異なり、共通する課題を有するものではない。
　（カ）　続いて、引用発明と、引用文献２−３に記載された発明との「作用、機能の共通性」について検討する。上記ウにて上述したとおり、「写真シール機」に関する引用発明と、「シュレッダ機能付スキャナ装置」に関する引用文献２に記載された発明と、「ファクシミリ装置」に関する引用文献３に記載された発明とは、それぞれ適用される製品の種類が異なる。
　さらに、引用発明の「写真シール機」は、引用文献１の【０００２】等の記載によれば、ゲームセンターやアミューズメントパークなどの娯楽施設に設置されユーザから料金を徴収して提供するゲームを通じてユーザに写真の撮影機能、編集機能、合成画像のシール紙へのプリント出力機能、合成画像のダウンロード機能を提供するものである。一方、引用文献２に記載された「シュレッダ機能付スキャナ装置」は、引用文献２の【０００７】等の記載によれば、イベント会場等において配布される資料をユーザが持ち帰る必要が無く指定先に資料データを転送する機能を提供するものであり、引用文献３に記載された「ファクシミリ装置」は、引用文献３の【０００１】等の記載によれば、ファクシミリ文書を送受信するとともに、該ファクシミリ文書をインターネット等のネットワークで電子メールとして送信する機能をユーザに提供するものである。
　してみると、引用発明と、引用文献２−３に記載された発明とは、製品の種類が異なるとともに、各製品の利用形態、各製品を利用するユーザの利用用途や利用シーン、ネットワークを介して提供される画像データの内容及び性質も相違する。してみると、引用発明と、引用文献２−３に記載された発明とは、作用、機能の共通性を有するものではない。
　（キ）　続いて、引用発明の「内容中の示唆」について検討する。引用文献１には、画像データのダウンロード期間を設定することや、ユーザにダウンロードを促す通知を行うことについては記載されていないことから、引用発明の「内容中の示唆」がない。
　
　（ク）　上記（ウ）〜（キ）を総合的に考慮して、引用発明において、引用文献２−３に記載された発明を適用し、本願発明１の上記相違点２に係る構成に想到することが当業者にとって容易であったかどうかについて検討を行う。
　引用文献２−３に記載された上記技術的事項は、画像データの「ダウンロード済み」であるか、又はＦＡＸ文書の画像データの「配信済み」であるかを判定するものであって、「前記画像データの取得を試みるアクセスが所定期間内にあったか否か」を判定することを示すものではない（上記（ウ））。
　また、引用発明と引用文献２又は引用文献３に記載された発明とは、技術分野が異なり（上記（エ））、課題の共通性がなく（上記（オ））、作用、機能の共通性がなく（上記（カ））、引用発明の「内容中の示唆」もない（上記（キ））。これらのことから、引用発明において、引用文献２−３に記載された発明を適用する動機付けがないと認められる。
　してみると、引用発明に接した当業者が、引用発明と技術分野が異なり、課題の共通性がなく、作用、機能の共通性がなく、引用発明において組み合わせるための示唆がなく、「前記画像データの取得を試みるアクセスが所定期間内にあったか否か」を判定することについて記載されていない引用文献２又は引用文献３に記載された発明を組み合わせて本願発明１の上記相違点２に係る「前記第１又は第２ユーザーから前記画像データの取得を試みるアクセスが所定期間内にあったか否かを判定する判定部と、前記アクセスが所定期間内に行われていないと判定された場合に、前記画像データに関連づけられた前記第１又は第２ユーザーのアドレス情報に基づいて、当該画像データのダウンロードを促すための所定の通知を実行する通知部」を備える構成に容易に想到できたものであるとは認められない。
　ウ　小括
　したがって、本願発明１は、当業者であっても、引用発明及び引用文献２−３に記載された技術的事項に基づいて容易に発明できたものとはいえない。
　２．本願発明２−３について
　本願発明２−３も、本願発明１の「前記第１又は第２ユーザーから前記画像データの取得を試みるアクセスが所定期間内にあったか否かを判定する判定部と、前記アクセスが所定期間内に行われていないと判定された場合に、前記画像データに関連づけられた前記第１又は第２ユーザーのアドレス情報に基づいて、当該画像データのダウンロードを促すための所定の通知を実行する通知部」と同一の構成を備えるものであるから、本願発明１と同じ理由により、当業者であっても、引用発明及び引用文献２−３に記載された技術的事項に基づいて容易に発明できたものとはいえない。
　３．本願発明４について
　本願発明４は、本願発明１に対応する方法の発明であり、本願発明１とカテゴリ表現が異なるだけの発明であり、本願発明１の「前記第１又は第２ユーザーから前記画像データの取得を試みるアクセスが所定期間内にあったか否かを判定する判定部と、前記アクセスが所定期間内に行われていないと判定された場合に、前記画像データに関連づけられた前記第１又は第２ユーザーのアドレス情報に基づいて、当該画像データのダウンロードを促すための所定の通知を実行する通知部」に対応する構成を備えるものであるから、本願発明１と同様の理由により、当業者であっても、引用発明及び引用文献２−３に記載された技術的事項に基づいて容易に発明できたものとはいえない。
　第６ むすび
　以上のとおり、本願発明１−４は、当業者が引用発明及び引用文献２−３に記載された技術的事項に基づいて容易に発明をすることができたものではない。したがって、原査定の理由によっては、本願を拒絶することはできない。
　また、他に本願を拒絶すべき理由を発見しない。
　よって、結論のとおり審決する。